(57)【要約】【課題】画像の出力前に入力ミスを適切に正すことができる画像処理装置を提供する。【解決手段】画像処理装置は、原稿の画像を読み取る（Ｓ１２）。その後、読み取った画像データから文字データを抽出する（Ｓ１５）。次に、抽出した文字データの外観が一致したものがあるか否かを判断する（Ｓ１６）。外観が一致するものがないと判断すれば（Ｓ１６において、ＮＯ）、外観の一部が一致するものがあるか否かを判断する（Ｓ１８）。外観の一部が一致するものがあれば（Ｓ１８において、ＹＥＳ）、一致した部分の読み仮名を導出する（Ｓ１９）。次に、導出した読み仮名を含む文字データを抽出する（Ｓ２０）。その後、抽出した登録文字読み仮名データに対応する登録文字データを操作部の表示画面で表示する（Ｓ２１）。正しい登録文字データに対応する選択キーの押下を検知すると（Ｓ２２）、対応する選択された登録文字に置き換えて出力を行う（Ｓ２３）。【選択図】図５
2016091135.tif 000002
【特許請求の範囲】
【請求項１】
予め登録された文字データである登録文字データ、および前記登録文字データに対応する読み仮名のデータである登録文字読み仮名データをそれぞれ複数格納する格納部と、
画像データを入力させる入力部と、
前記入力部により入力された前記画像データの中から文字データを抽出する第一の抽出部と、
前記格納部により格納された複数の前記登録文字データの中に、前記第一の抽出部により抽出された前記文字データの外観が一致するものがあるか否かを判断する第一の判断部と、
前記第一の判断部により、前記第一の抽出部により抽出された前記文字データの外観が一致するものがないと判断すれば、前記格納部により格納された複数の前記登録文字データの中に、前記第一の抽出部により抽出された前記文字データの外観の一部が一致するものがあるか否かを判断する第二の判断部と、
前記第二の判断部により、前記第一の抽出部により抽出された前記文字データの外観の一部が一致するものがあると判断すれば、一致する部分の読み仮名を導出する読み仮名導出部と、
前記格納部に格納された前記登録文字読み仮名データの中から、前記読み仮名導出部により導出した前記一致する部分の読み仮名を含む前記登録文字読み仮名データを抽出する第二の抽出部と、
前記第二の抽出部により抽出された前記登録文字読み仮名データに対応する前記登録文字データを報知する報知部とを備える、画像処理装置。
【請求項２】
前記報知部により報知された前記登録文字データを選択させる選択部と、
前記第一の抽出部により抽出された前記文字データを、前記選択部により選択された前記登録文字データに置き換えて前記画像データを出力する出力部とを備える、請求項１に記載の画像処理装置。
【請求項３】
前記報知部は、前記第二の抽出部により抽出された前記登録文字読み仮名データに対応する前記登録文字データを表示する表示部を含む、請求項１または２に記載の画像処理装置。
【請求項４】
前記報知部は、前記第二の判断部により、前記第一の抽出部により抽出された前記文字データの外観の一部が一致しないと判断すれば、入力が誤っていることを報知する、請求項１〜３のいずれか１項に記載の画像処理装置。
【請求項５】
前記第一の抽出部は、入力された前記画像データのうち、指定された所定の領域内において文字データを抽出する、請求項１〜４のいずれか１項に記載の画像処理装置。
【請求項６】
前記指定された領域を予めフォーマットとして登録させる登録部を備える、請求項５に記載の画像処理装置。
【請求項７】
前記格納部は、前記登録文字データの種類毎に複数の前記登録文字データ、および前記登録文字データに対応する前記登録文字読み仮名データを格納する、請求項１〜６のいずれか１項に記載の画像処理装置。
【請求項８】
予め登録された文字データである登録文字データ、および前記登録文字データに対応する読み仮名のデータである登録文字読み仮名データをそれぞれ複数格納する格納部と、
画像データを入力させる入力部と、
前記入力部により入力された前記画像データの中から文字データを抽出する第一の抽出部と、
前記格納部により格納された複数の前記登録文字データの中に、前記第一の抽出部により抽出された前記文字データの外観が一致するものがあるか否かを判断する第一の判断部と、
前記第一の判断部により、前記第一の抽出部により抽出された前記文字データの外観が一致するものがないと判断すれば、前記格納部により格納された複数の前記登録文字データの中に、前記第一の抽出部により抽出された前記文字データの外観の一部が一致するものがあるか否かを判断する第二の判断部と、
前記第二の判断部により、前記第一の抽出部により抽出された前記文字データの外観の一部が一致するものがあると判断すれば、一致する部分の読み仮名を導出する読み仮名導出部と、
前記格納部に格納された前記登録文字読み仮名データの中から、前記読み仮名導出部により導出した前記一致する部分の読み仮名を含む前記登録文字読み仮名データを抽出する第二の抽出部と、
前記第二の抽出部により抽出された前記登録文字読み仮名データに対応する前記登録文字データを報知する報知部とを備える、画像処理システム。
【発明の詳細な説明】
【技術分野】
【０００１】
この発明は、画像処理装置および画像処理システムに関するものである。
【背景技術】
【０００２】
ユーザーが、印刷やファクシミリ送信等、画像データの出力機能を備えるＭＦＰ（Ｍｕｌｔｉｆｕｎｃｔｉｏｎａｌ  Ｐｒｉｎｔｅｒ）を利用して画像データを印刷しようとする場合、一般的には、ユーザーが所有するパソコン（パーソナルコンピューター）からネットワークを介し、画像データをＭＦＰに送信して印刷の指示を行う。印刷の指示が行われたＭＦＰは、送信された画像データを用紙に印刷する。また、ＭＦＰを利用してコピーをする場合、画像読み取り部によって原稿の画像を読み取り、画像形成部によって画像を形成し、用紙に印刷する。
【０００３】
かかる印刷の処理においては、印刷後に印刷物の文字の変換ミスや数字のタイプミスを発見してしまう場合がある。印刷物の文字の変換ミスやタイプミスの発生を抑制するためには、印刷前に画像データ中の文字データに誤りがないか否かを判断する必要がある。
【０００４】
ここで、特開２００６−２３４９９６号公報（特許文献１）によると、教材を処理する教材処理装置について、教育用教材から画像データを得る読み取り手段と、その画像データを用いて教育用教材に記入された正誤判定の採点集計を行う採点集計手段と、解答記入者による手書き文字についての画像データを記憶蓄積しておくとともに、読み取り手段で得た画像データからの記名内容の抽出結果を記憶蓄積している画像データと照合し、その照合結果に基づき解答記入者の氏名情報を特定する解答者特定手段と、採点集計手段による採点集計結果を解答者特定手段が特定した氏名情報と関連付けて出力する集計結果出力手段とを備える教材処理装置が開示されている。
【先行技術文献】
【特許文献】
【０００５】
【特許文献１】特開２００６−２３４９９６号公報
【発明の概要】
【発明が解決しようとする課題】
【０００６】
特許文献１によると、教材処理装置においては、特定の位置に手書きで記載された氏名のデータと事前に登録されている氏名の画像データを照合し、閾値以上の一致箇所がある氏名のデータを正確な情報として採用することとしている。このような特許文献１に開示の技術では、複数の文字からなる文字列について照合を行う場合に、その文字列を構成する文字ごとに判断を行い、一致した文字数の割合である照合確率度に基づいて特定の文字列に該当するか否かを判断する。このため、照合確率度が高い場合においては、誤記が含まれていたとしても両者は一致すると判断されることになる。このように、特許文献１に開示の技術では、入力ミスの判断が必ずしも正しいとは限らない場合があり、出力の対象となる画像データ中の文字の変換ミスやタイプミスが残ったまま出力することになってしまう。
【０００７】
この発明の目的は、画像の出力前に入力ミスを適切に正すことができる画像処理装置を提供することである。
【０００８】
この発明の目的は、画像の出力前に入力ミスを適切に正すことができる画像処理システムを提供することである。
【課題を解決するための手段】
【０００９】
この発明に係る画像処理装置は、予め登録された文字データである登録文字データ、および登録文字データに対応する読み仮名のデータである登録文字読み仮名データをそれぞれ複数格納する格納部と、画像データを入力させる入力部と、入力部により入力された画像データの中から文字データを抽出する第一の抽出部と、格納部により格納された複数の登録文字データの中に、第一の抽出部により抽出された文字データの外観が一致するものがあるか否かを判断する第一の判断部と、第一の判断部により、第一の抽出部により抽出された文字データの外観が一致するものがないと判断すれば、格納部により格納された複数の登録文字データの中に、第一の抽出部により抽出された文字データの外観の一部が一致するものがあるか否かを判断する第二の判断部と、第二の判断部により、第一の抽出部により抽出された文字データの外観の一部が一致するものがあると判断すれば、一致する部分の読み仮名を導出する読み仮名導出部と、格納部に格納された登録文字読み仮名データの中から、読み仮名導出部により導出した一致する部分の読み仮名を含む登録文字読み仮名データを抽出する第二の抽出部と、第二の抽出部により抽出された登録文字読み仮名データに対応する登録文字データを報知する報知部とを備える。
【００１０】
このような画像処理装置によると、まず、第一の判断部により、格納部により格納された複数の登録文字データの中に、第一の抽出部により抽出された文字データの外観が一致するものがあるか否かを判断する。そして、第一の判断部において、文字データの外観が一致するものがないと判断すれば、第二の判断部により、文字のデータの外観の一部が一致するものがあるか否かを判断する。そして、第二の判断部において、文字のデータの外観の一部が一致するものがあると判断すれば、一致する部分の読み仮名を導出し、格納部に格納された登録文字読み仮名データの中からこの読み仮名を含む登録文字読み仮名データを抽出し、対応する登録文字データを報知することとしている。そうすると、外観の一部が一致した場合に、この一致した部分の読み仮名を含む登録文字データを、入力ミスをしてしまう前の正解の候補として報知することができる。したがって、報知された正解の候補としての登録文字データの選択や入力を促して、入力ミスが生じた場合に、適切に正すことができる。したがって、このような画像処理装置は、画像の出力前に入力ミスを適切に正すことができる。
【００１１】
また、この発明の他の局面において、画像処理システムは、予め登録された文字データである登録文字データ、および登録文字データに対応する読み仮名のデータである登録文字読み仮名データをそれぞれ複数格納する格納部と、画像データを入力させる入力部と、入力部により入力された画像データの中から文字データを抽出する第一の抽出部と、格納部により格納された複数の登録文字データの中に、第一の抽出部により抽出された文字データの外観が一致するものがあるか否かを判断する第一の判断部と、第一の判断部により、第一の抽出部により抽出された文字データの外観が一致するものがないと判断すれば、格納部により格納された複数の登録文字データの中に、第一の抽出部により抽出された文字データの外観の一部が一致するものがあるか否かを判断する第二の判断部と、第二の判断部により、第一の抽出部により抽出された文字データの外観の一部が一致するものがあると判断すれば、一致する部分の読み仮名を導出する読み仮名導出部と、格納部に格納された登録文字読み仮名データの中から、読み仮名導出部により導出した一致する部分の読み仮名を含む登録文字読み仮名データを抽出する第二の抽出部と、第二の抽出部により抽出された登録文字読み仮名データに対応する登録文字データを報知する報知部とを備える。
【００１２】
このような画像処理システムによると、画像の出力前に入力ミスを適切に正すことができる。
【発明の効果】
【００１３】
このような画像処理装置によると、まず、第一の判断部により、格納部により格納された複数の登録文字データの中に、第一の抽出部により抽出された文字データの外観が一致するものがあるか否かを判断する。そして、第一の判断部において、文字データの外観が一致するものがないと判断すれば、第二の判断部により、文字のデータの外観の一部が一致するものがあるか否かを判断する。そして、第二の判断部において、文字のデータの外観の一部が一致するものがあると判断すれば、一致する部分の読み仮名を導出し、格納部に格納された登録文字読み仮名データの中からこの読み仮名を含む登録文字読み仮名データを抽出し、対応する登録文字データを報知することとしている。そうすると、外観の一部が一致した場合に、この一致した部分の読み仮名を含む登録文字データを、入力ミスをしてしまう前の正解の候補として報知することができる。したがって、報知された正解の候補としての登録文字データの選択や入力を促して、入力ミスが生じた場合に、適切に正すことができる。したがって、このような画像処理装置は、画像の出力前に入力ミスを適切に正すことができる。
【００１４】
また、このような画像処理システムによると、画像の出力前に入力ミスを適切に正すことができる。
【図面の簡単な説明】
【００１５】
【図１】この発明の一実施形態に係る画像処理装置をデジタル複合機に適用した場合のデジタル複合機の外観を示す概略斜視図である。
【図２】この発明の一実施形態に係る画像処理装置をデジタル複合機に適用した場合のデジタル複合機の構成を示すブロック図である。
【図３】操作部の概略的な構成を示す外観図である。
【図４】ハードディスクに格納されたデータの内容を示す概念図である。
【図５】この発明の一実施形態に係る画像処理装置を用いて画像を印刷する場合の処理の内容を示すフローチャートである。
【図６】設定された原稿のフォーマットの一例を示す図である。
【図７】読み込ませる原稿の一例を示す図である。
【図８】登録文字データを表示した操作部の表示画面の一例を示す図である。
【図９】正しい文字に置き換えられ、出力する前の画像を示す表示画面の一例を示す図である。
【図１０】入力間違いのメッセージを示す操作部の表示画面の一例を示す図である。
【発明を実施するための形態】
【００１６】
以下、この発明の実施の形態を説明する。まず、この発明の一実施形態に係る画像処理装置をデジタル複合機に適用した場合のデジタル複合機の構成について説明する。図１は、この発明の一実施形態に係る画像処理装置をデジタル複合機に適用した場合のデジタル複合機の外観を示す概略斜視図である。図２は、この発明の一実施形態に係る画像処理装置をデジタル複合機に適用した場合のデジタル複合機の構成を示すブロック図である。
【００１７】
図１および図２を参照して、デジタル複合機１１は、デジタル複合機１１全体の制御を行う制御部１２と、デジタル複合機１１側から発信する情報やユーザーの入力内容を表示する表示画面２１を含み、印刷部数や階調性等の画像形成の条件や電源のオンオフを入力させる操作部１３と、セットされた原稿を自動的に読み取り部へ搬送するＡＤＦ（Ａｕｔｏ  Ｄｏｃｕｍｅｎｔ  Ｆｅｅｄｅｒ）２２を含み、原稿や印刷物の画像を読み取る画像読み取り部１４と、トナーを用いて現像を行う現像器２３を含み、読み取った画像やネットワーク２５を介して送信された画像データを基に画像を形成する画像形成部１５と、送信された画像データや入力された画像形成条件等の格納を行う格納部としてのハードディスク１６と、公衆回線２４に接続されており、ファクシミリ送信やファクシミリ受信を行うファクシミリ通信部１７と、ネットワーク２５と接続するためのネットワークインターフェース部１８とを備える。なお、デジタル複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。
【００１８】
デジタル複合機１１は、画像読み取り部１４により読み取られた原稿を用いて画像形成部１５において画像を形成することにより、複写機として作動する。また、デジタル複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。また、デジタル複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。すなわち、デジタル複合機１１は、画像処理に関し、複写機能、プリンター機能、ファクシミリ機能等、複数の機能を有する。さらに、各機能に対しても、詳細に設定可能な機能を有する。
【００１９】
デジタル複合機１１を含む画像処理システム２７は、デジタル複合機１１と、複数のコンピューター２６ａ、２６ｂ、２６ｃとを備える。具体的には、画像処理システム２７は、上記した構成のデジタル複合機１１と、ネットワーク２５を介してデジタル複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、デジタル複合機１１に対して、ネットワーク２５を介して印刷要求を行って印刷をすることができる。デジタル複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他のデジタル複合機やサーバーが接続されている構成でもよい。
【００２０】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号を入力させるテンキー３１と、印刷の開始やファクシミリ送信の開始を指示させるスタートキー３２と、デジタル複合機１１の電源のオンオフを入力させる電源キー３３と、デジタル複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。
【００２１】
次に、上記したハードディスク１６に格納されているデータの内容について説明する。図４は、ハードディスク１６に格納されたデータの内容を示す概念図である。図４を参照して、ハードディスク１６には予め、社員名簿のデータが格納されている。具体的には、会社に所属する者の氏名に関する情報のデータベースである氏名データベース４１ａや所属部署のデータベース（図示せず）等といった社員の情報に関連する社員名簿のデータが格納されている。
【００２２】
氏名データベース４１ａの登録文字データベース４２ａには、社員である「中田  太郎」という漢字の登録文字データ４３ａが格納されている。同様に、氏名データベース４１ａの登録文字データベース４２ａには、同じく社員である「山本  太郎」という漢字の登録文字データ４３ｂが格納されている。また、同様に、氏名データベース４１ａの登録文字データベース４２ａには、同じく社員である「佐藤  次郎」という漢字の登録文字データ４３ｃが格納されている。また、同様に、氏名データベース４１ａの登録文字データベース４２ａには、同じく社員である「鈴木  多郎」という漢字の登録文字データ４３ｄが格納されている。また、同様に、氏名データベース４１ａの登録文字データベース４２ａには、同じく社員である「高橋  三郎」という漢字の登録文字データ４３ｅが格納されている。
【００２３】
また、登録文字データ４３ａに関連して、「中田  太郎」という社員の読み仮名である「なかた  たろう」という登録文字読み仮名データ４４ａが登録文字読み仮名データベース４２ｂに格納されている。同様に、登録文字データ４３ｂに関連して、「山本  太郎」という登録文字データ４３ｂに関連して、読み仮名である「やまもと  たろう」という登録文字読み仮名データ４４ｂが登録文字読み仮名データベース４２ｂに格納されている。また、同様に、登録文字データ４３ｃに関連して、「佐藤  次郎」という登録文字データ４３ｃに関連して、読み仮名である「さとう  じろう」という登録文字読み仮名データ４４ｃが登録文字読み仮名データベース４２ｂに格納されている。また、同様に、登録文字データ４３ｄに関連して、「鈴木  多郎」という登録文字データ４３ｄに関連して、読み仮名である「すずき  たろう」という登録文字読み仮名データ４４ｄが登録文字読み仮名データベース４２ｂに格納されている。また、同様に、登録文字データ４３ｅに関連して、「高橋  三郎」という登録文字データ４３ｅに関連して、読み仮名である「たかはし  さぶろう」という登録文字読み仮名データ４４ｅが登録文字読み仮名データベース４２ｂに格納されている。
【００２４】
また、ハードディスク１６には予め、社員名簿の他に、変換ミスの起こりやすい単語のデータベースである類語データベース４１ｂが格納されている。類語データベース４１ｂについては、登録文字データベース４６ａに、変換ミスの起こりやすい文字である「決裁」という漢字で表記された登録文字データ４７ａと、同じく変換ミスの起こりやすい文字である「稟議」という漢字で表記された登録文字データ４７ｂとが格納されている。また、登録文字データ４７ａに関連して、「決裁」という文字の読み仮名である「けっさい」という登録文字読み仮名データ４８ａが登録文字読み仮名データベース４６ｂに格納されている。同様に、「稟議」という登録文字データ４７ｂに関連して、読み仮名である「りんぎ」という登録文字読み仮名データ４８ｂが登録文字読み仮名データベース４６ｂに格納されている。
【００２５】
次に、この発明の一実施形態に係るデジタル複合機１１を用いて、まず、画像を処理する場合について説明する。ここでは、ユーザーがデジタル複合機１１を用いて原稿の画像を読み込ませ、入力された画像を基に印刷する場合について説明する。図５は、この発明の一実施形態に係る画像処理装置を用いて画像を印刷する場合の処理の内容を示すフローチャートである。
【００２６】
図５等を参照して、まず、ユーザーは、入力する原稿のフォーマット登録されたフォーマットから入力する（図５において、ステップＳ１１、以下、「ステップ」を省略する）。この原稿の画像のフォーマットの入力については、操作部１３の表示画面２１を利用して行う。
【００２７】
ここで、原稿のフォーマットについて説明する。図６は、原稿のフォーマットの一例を示す図である。図６を参照して、原稿５１には、複数の実線で示す境界によって区切られた複数の領域が設けられている。この場合、原稿５１の上下に位置する両端部５２ａ、５２ｂと、原稿５１の左右の両端部５３ａ、５３ｂと、実線で示す４つの境界５４ａ、５４ｂ、５４ｃ、５４ｄとによって、７つの領域５５ａ、５５ｂ、５５ｃ、５５ｄ、５５ｅ、５５ｆ、５５ｇが設けられている。
【００２８】
これらの領域５５ａ〜５５ｇにはそれぞれ、記載される項目の内容が設定されている。図５においては、原稿５１の上端部５２ａ、原稿の左端部５３ａ、境界５４ａ、５４ｂによって囲まれた領域５５ａには、社員が所属する「社名」の情報が記載される。原稿５１の上端部５２ａ、原稿の右端部５３ｂ、境界５４ａ、５４ｂによって囲まれた領域５５ｂには、社員の「氏名」の情報が記載される。原稿５１の左端部５３ａ、境界５４ａ、５４ｂ、５４ｃによって囲まれた領域５５ｃには、社員の「所属部署」の情報が記載される。原稿５１の右端部５３ｂ、境界５４ａ、５４ｂ、５４ｃによって囲まれた領域５５ｄには、社員の「年齢」の情報が記載される。原稿５１の左端部５３ａ、境界５４ａ、５４ｃ、５４ｄによって囲まれた領域５５ｅには、社員の「電話番号」の情報が記載される。原稿５１の右端部５３ａ、境界５４ａ、５４ｃ、５４ｄによって囲まれた領域５５ｆには、社員の「性別」の情報が記載される。原稿５１の下端部５２ｂ、左右端部５３ａ、５３ｂ、境界５４ｄによって囲まれた領域５５ｇには、伝達したい内容等を示す「本文」の情報が記載される。
【００２９】
このように、原稿５１のフォーマットについては、各領域５５ａ〜５５ｇにおいて記載される内容がある程度決まっているものである。すなわち、例えば、領域５５ａには、氏名や性別、所属部署に関連する記載ではなく会社名に関連した記載があり、領域５５ｂには、数字や記号といった文字が記載されることはなく、漢字や平仮名等で構成される氏名に関連する記載となる。ハードディスク１６には、このようにして、領域５５ａ〜５５ｇに記載内容が設定されたフォーマットのデータが格納され、登録されている。ユーザーは、複数のフォーマットのデータの中から、図６に示すように設定されたフォーマットを選択する。制御部１２は、フォーマットの入力を受け付ける。なお、図６に示す原稿のフォーマットは、決裁の申請書の一例である。また、制御部１２は、指定された領域を予めフォーマットとして登録させる登録部を備える。
【００３０】
図７は、読み込ませる原稿５１の一例を示す図である。図７に示す原稿５１には、具体的な文字データが画像として記載されている。図７を参照して、領域５５ａには、会社名として「ＫＤＣ」との文字データ５６ａの記載、領域５５ｂには、氏名として「田中  太郎」との文字データ５６ｂの記載、領域５５ｃには、所属部署として「技術」との文字データ５６ｃの記載、領域５５ｄには、年齢として「２５」との文字データ５６ｄの記載、領域５５ｅには、電話番号として「０１２−３４５−６７８９」との文字データ５６ｅの記載、領域５５ｆには、性別として「男性」との文字データ５６ｆの記載、領域５５ｇには、本文として「…………。ご決済の程、宜しくお願いします。」との文字データ５６ｇの記載がある。すなわち、例えば、原稿５１のうち、領域５５ａが位置する部分の文字データを読み取ることにより、会社名を把握することができる。なお、この原稿５１については、領域５５ｂにおける「田中  太郎」との文字データ５６ｂの記載に入力ミスがあり、実際には、「中田  太郎」という文字に対する入力ミスであって、「田中  太郎」という人材は登録されていないこととする。また、領域５５ｇにおける本文の文字データ５６ｇ中の「決済」の文字は、「決裁」の文字への変換ミスである。
【００３１】
次に、ユーザーは、図７に示す原稿５１をＡＤＦ２２にセットし、スタートキー３２を押下する。そうすると、画像読み取り部１４は、上記した図７に示す原稿５１の画像を読み取る（Ｓ１２）。この場合、ＡＤＦ２２にセットされた原稿５１を読み取り部に搬送して読み取ることにより、原稿５１の画像を読み取る。
【００３２】
その後、検索範囲が選択されたか否かを判断する（Ｓ１３）。検索範囲とは、入力ミスをチェックする範囲を指定するものである。検索範囲が選択されれば（Ｓ１３において、ＹＥＳ）、選択された検索範囲を指定し（Ｓ１４）、読み取った画像データから文字データを抽出する（Ｓ１５）。検索範囲が選択されなければ（Ｓ１３において、ＮＯ）、そのまま原稿の全体において、読み取った画像データから文字データを抽出する（Ｓ１５）。この場合、原稿５１の画像全体が、検索範囲として指定されている。すなわち、制御部１２は、各領域５５ａ〜５５ｇにおける文字データを抽出する。
【００３３】
次に、抽出した文字データの外観が一致したものがあるか否かを判断する（Ｓ１６）。ここで、制御部１２等は、第一の判断部として作動する。この場合、領域５５ａにおける「ＫＤＣ」の文字データ５６ａ、領域５５ｂにおける「田中  太郎」の文字データ５６ｂ、領域５５ｃにおける「技術」の文字データ５６ｃ、領域５５ｄにおける「２５」の文字データ５６ｄ、領域５５ｅにおける「０１２−３４５−６７８９」の文字データ５６ｅ、領域５５ｆにおける「男性」の文字データ５６ｆ、領域５５ｇにおける「…………。ご決済の程、宜しくお願いします。」の文字データ５６ｇの外観について、ハードディスク１６に格納された登録文字データの外観に一致するものがあるか否かを判断する。
【００３４】
ここで、全ての文字データについて、外観が一致するものがあると判断すれば（Ｓ１６において、ＹＥＳ）、そのまま読み取った画像について画像を形成して出力し（Ｓ１７）、処理を終了する。この場合、原稿５１には、入力ミスや変換ミスがないものと判断することになる。
【００３５】
一方、外観が一致するものがないと判断すれば（Ｓ１６において、ＮＯ）、次に、外観の一部が一致するものがあるか否かを判断する（Ｓ１８）。この場合、領域５５ｂにおける「田中  太郎」の文字データ５６ｂについて、格納された氏名データベース４２ａの中に外観が一致するものがないと判断する。ここで、制御部１２は、第二の判断部として作動する。
【００３６】
この場合、「中田  太郎」、「山本  太郎」という登録文字データ４３ａ、４３ｂについて、「太郎」の部分が一致していると判断する（Ｓ１８において、ＹＥＳ）。そして、一致した部分の読み仮名を導出する（Ｓ１９）。この場合、「太郎」の部分が一致するので、「たろう」という読み仮名を導出する。ここで、制御部１２は、一致する部分の読み仮名を導出する読み仮名導出部として作動する。
【００３７】
次に、導出した読み仮名を含む文字データを抽出する（Ｓ２０）。この場合、図４を参照して、点線で示す領域４５ａ、４５ｂ、４５ｃにおいて、読み仮名として「たろう」を含む「なかた  たろう」の登録文字読み仮名データ４４ａ、「やまもと  たろう」の登録文字データ４４ｂ、そして、「すずき  たろう」の登録文字データ４４ｄを抽出する。ここで、制御部１２は、第二の抽出部として作動する。
【００３８】
その後、抽出した登録文字読み仮名データ４４ａ、４４ｂ、４４ｄに対応する登録文字データ４３ａ、４３ｂ、４３ｄを操作部１３の表示画面２１で表示する（Ｓ２１）。ここで、操作部１３等は、登録文字読み仮名データ４４ａ、４４ｂ、４４ｄに対応する登録文字データ４３ａ、４３ｂ、４３ｄを報知する報知部として作動する。
【００３９】
図８は、登録文字データ４３ａ、４３ｂ、４３ｄを表示した操作部１３の表示画面２１の一例を示す図である。図８を参照して、表示画面２１には、「「田中  太郎」、「決済」が登録データと一致しません。記述間違いの可能性があります。正解の候補は、以下です。正しいものをタッチしてください。」とのメッセージ６１と、読み取った原稿をサムネイル表示したサムネイル画像６３を示すウィンドウ６２ａと、「中田  太郎」の文字が示された選択キー６４ａ、「山本  太郎」の文字が示された選択キー６４ｂ、「鈴木  多郎」の文字が示された選択キー６４ｃ、および「決裁」の文字が示された選択キー６４ｄが表示されたウィンドウ６２ｂが示される。なお、サムネイル画像６３において、「田中  太郎」が表示された領域６５ａ、および本文が表示された領域６５ｂには、ハッチングが掛けられている。
【００４０】
ここで、ユーザーは、入力ミスに気づき、正しい記載となるよう複数表示された選択キー６４ａ〜６４ｄの中から、正しい記載となる選択キー６４ａ〜６４ｄを押下する。この場合、「中田」と「田中」の文字の入力が誤っており、正しい文字は、「中田  太郎」であったとする。ユーザーは、「中田  太郎」を示す選択キー６４ａを押下する。また、ユーザーは、変換ミスをしてしまった「決裁」を示す選択キー６４ｄを押下する。ここで、制御部１２等は、登録文字データを選択させる選択部として作動する。
【００４１】
正しい登録文字データに対応する選択キー６４ａ、６４ｄの押下を検知すると（Ｓ２２）、対応する選択された登録文字に置き換えて出力を行う（Ｓ２３）。この場合、「田中  太郎」と記載された部分については、「中田  太郎」と置き換えられて出力される。また、本文中の「決済」の文字は、「決裁」に置き換えられて出力される。ここで、制御部１２は、選択部により選択された登録文字データに置き換えて画像データを出力する出力部として作動する。
【００４２】
図９は、正しい文字に置き換えられ、出力する前の画像を示す図である。図９を参照して、表示画面２１には、「この内容で出力します。よろしいですか？」とのメッセージ６６と、正しい文字に置き換えられたサムネイル画像６８を示すウィンドウ６７と、「ＯＫ」と示された選択キー６９ａと、「キャンセル」と示された選択キー６９ｂとが表示されている。ユーザーは、ウィンドウ６７に示されたサムネイル画像６８を確認して、出力をするのであれば、「ＯＫ」の選択キー６９ａを押下する。一方、出力をせず、処理を終了するなら「キャンセル」の選択キー６９ｂを押下する。
【００４３】
一方、Ｓ１８において、外観の一部が一致するものがなければ（Ｓ１８において、ＮＯ）、明らかな入力のミスであるため、表示画面２１において、入力間違いのメッセージを表示する（Ｓ２４）。
【００４４】
図１０は、この場合の操作部１３の表示画面２１の一例を示す図である。図１０を参照して、表示画面２１には、「入力内容について、記述間違いの可能性があります。入力内容を確認してください。」とのメッセージ７１と、読み取った原稿の画像をサムネイル表示したサムネイル画像７３を示すウィンドウ７２と、「ＯＫ」と示された選択キー７４とが表示されている。ユーザーは、ウィンドウ７２に表示されたサムネイル画像７３を確認して、入力内容の誤りに気付けば、「ＯＫ」の選択キー７４を押下し、入力ミスのない画像を再度作成し、画像を読み取らせる。
【００４５】
このような構成のデジタル複合機１１によると、まず、ハードディスク１６により格納された複数の登録文字データの中に、抽出された文字データの外観が一致するものがあるか否かを判断する。そして、文字データの外観が一致するものがないと判断すれば、文字データの外観の一部が一致するものがあるか否かを判断する。そして、文字データの外観の一部が一致するものがあると判断すれば、一致する部分の読み仮名を導出し、ハードディスク１６に格納された登録文字読み仮名データの中からこの読み仮名を含む登録文字読み仮名データを抽出し、対応する登録文字データを報知することとしている。そうすると、外観の一部が一致した場合に、この一致した部分の読み仮名を含む登録文字データを、入力ミスをしてしまう前の正解の候補として報知することができる。したがって、報知された正解の候補としての登録文字データの選択や入力を促して、入力ミスが生じた場合に、適切に正すことができる。したがって、このようなデジタル複合機１１は、画像の出力前に入力ミスを適切に正すことができる。例えば、「川上一郎」の文字が正しく登録されており、「河上一郎」と誤って入力された場合でも、入力ミスを把握して、「川上一郎」の文字の入力を促して、入力ミスを正すことができる。
【００４６】
この場合、報知部としての表示画面２１により報知された登録文字データ４３ａ、４３ｂ、４３ｄの中から選択させる選択部と、選択部により選択された登録文字データ４３aに置き換えて画像データを出力する出力部とを備える。そうすると、選択部によって登録文字データの中から正解の登録文字を選択させ、入力ミスがなされた文字を正解の文字に置き換えて出力することができる。そうすると、改めて入力ミスを正した画像の再読み取り等を行うことなく、入力ミスを正した出力を行うことができる。
【００４７】
また、この場合、報知部は、第二の抽出部により抽出された登録文字読み仮名データに対応する登録文字データを表示する表示部としての表示画面２１を含む。こうすることにより、表示画面２１による表示により、ユーザーが入力ミスに対して正しい入力を行うことが容易になる。
【００４８】
また、この場合、報知部は、第二の判断部により、第一の抽出部により抽出された文字データの外観の一部が一致しないと判断すれば、入力が誤っていることを報知する。こうすることにより、入力ミスを含んだまま画像を処理するおそれを低減することができる。
【００４９】
また、この場合、第一の抽出部は、入力された画像データのうち、指定された所定の領域内において文字のデータを抽出する。こうすることにより、より文字のデータの抽出する範囲を明確にして、抽出することができる。また、指定された領域を予めフォーマットとして登録させる登録部を備えるため、登録されたフォーマットの入力により、容易にフォーマットを入力することができる。
【００５０】
また、この場合、出力部は、第一の抽出部により抽出された文字のデータの外観が一致するものがあると判断すれば、そのまま画像データを出力する。こうすることにより、入力ミスのない場合に、円滑に出力をすることができる。
【００５１】
また、この場合、ハードディスク１６は、登録文字データ４２ａ、４６ａの種類毎に複数の登録文字データ４３ａ〜４３ｅ、４７ａ、４７ｂ、および登録文字データ４３ａ〜４３ｅ、４７ａ、４７ｂに対応する登録文字読み仮名データ４４ａ〜４４ｅ、４８ａ、４８ｂを格納する。こうすることにより、より効率的な第一の判断部による判断を行うことができる。
【００５２】
なお、上記の実施の形態において、正解の候補を表示画面に表示することとしたが、これに限らず、例えば、正解の候補が一つであった場合、表示画面に表示することなく、正解の候補に置き換えて出力するように構成してもよい。この場合、ユーザーに選択させることなく置き換えて出力するようにしてもよい。
【００５３】
また、上記の実施の形態においては、所定のフォーマットを選択してから、原稿の画像を読み取るよう構成したが、これに限らず、フォーマットを選択させずに原稿の画像を読み取るよう構成してもよい。
【００５４】
なお、上記の実施の形態においては、操作部の表示画面で入力ミスを表示することにより報知することとしたが、これに限らず、音声による報知を行ってもよい。もちろん、表示画面への表示と共に、音声による報知を行ってもよい。
【００５５】
また、上記の実施の形態においては、原稿の境界について、実線で示すこととしたが、これに限らず、点線や一点鎖線等で示すようにしてもよいし、線で表示しなくともよい。すなわち、原稿のどの領域にどのような記載がなされるかを予め把握できればよい。
【００５６】
なお、上記の実施の形態においては、原稿を画像読み取り部で読み取って印刷する場合について説明したが、例えば、ネットワークに接続されているコンピューターからプリントを行う場合、すなわち、ユーザーがデジタル複合機をプリンターとして用いる場合にも適用される。
【００５７】
また、この発明に係る画像処理システムは、以下の構成としてもよい。すなわち、画像処理システムは、予め登録された文字のデータである登録文字データ、および登録文字データに対応する読み仮名のデータである登録文字読み仮名データをそれぞれ複数格納する格納部と、画像データを入力させる入力部と、入力部により入力された画像データの中から文字データを抽出する第一の抽出部と、格納部により格納された複数の登録文字データの中に、第一の抽出部により抽出された文字データの外観が一致するものがあるか否かを判断する第一の判断部と、第一の判断部により、第一の抽出部により抽出された文字データの外観が一致するものがないと判断すれば、格納部により格納された複数の登録文字データの中に、第一の抽出部により抽出された文字データの外観の一部が一致するものがあるか否かを判断する第二の判断部と、第二の判断部により、第一の抽出部により抽出された文字データの外観の一部が一致するものがあると判断すれば、一致する部分の読み仮名を導出する読み仮名導出部と、格納部に格納された登録文字読み仮名データの中から、読み仮名導出部により導出した一致する部分の読み仮名を含む登録文字読み仮名データを抽出する第二の抽出部と、第二の抽出部により抽出された登録文字読み仮名データに対応する登録文字データを報知する報知部とを備えるよう構成してもよい。このような画像処理システムによれば、画像の出力前に入力のミスを適切に正すことができる。
【００５８】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５９】
この発明に係る画像処理装置および画像処理システムは、画像の出力前に入力ミスを適切に正すことが要求される場合に、特に有効に利用される。
【符号の説明】
【００６０】
１１  デジタル複合機、１２  制御部、１３  操作部、１４  画像読み取り部、１５  画像形成部、１６  ハードディスク、１７  ファクシミリ通信部、１８  ネットワークインターフェース部、２１  表示画面、２２  ＡＤＦ、２３  現像器、２４  公衆回線、２５  ネットワーク、２６ａ，２６ｂ，２６ｃ  コンピューター、２７  画像処理システム、３１  テンキー、３２  スタートキー、３３  電源キー、３４  メニューキー、３５  登録キー、３６  リセットキー、４１ａ，４１ｂ，４２ａ，４２ｂ，４６ａ，４６ｂ  データベース、４３ａ，４３ｂ，４３ｃ，４３ｄ，４３ｅ，４７ａ，４７ｂ  登録文字データ、４４ａ，４４ｂ，４４ｃ，４４ｄ，４４ｅ，４８ａ，４８ｂ  登録文字読み仮名データ、４５ａ，４５ｂ，４５ｃ，５５ａ，５５ｂ，５５ｃ，５５ｄ，５５ｅ，５５ｆ，５５ｇ，６５ａ，６５ｂ  領域、５１  原稿、５２ａ，５２ｂ，５３ａ，５３ｂ  端部、５４ａ，５４ｂ，５４ｃ，５４ｄ  境界、５６ａ，５６ｂ，５６ｃ，５６ｄ，５６ｅ，５６ｆ，５６ｇ  文字データ、６１，６６，７１  メッセージ、６２ａ，６２ｂ，６７，７２  ウィンドウ、６３，６８，７３  サムネイル画像、６４ａ，６４ｂ，６４ｃ，６４ｄ，６９ａ，６９ｂ，７４  選択キー。
【図１】
2016091135.tif 000003
【図２】
2016091135.tif 000004
【図３】
2016091135.tif 000005
【図４】
2016091135.tif 000006
【図５】
2016091135.tif 000007
【図６】
2016091135.tif 000008
【図７】
2016091135.tif 000009
【図８】
2016091135.tif 000010
【図９】
2016091135.tif 000011
【図１０】
2016091135.tif 000012